(57)【要約】  本発明は、被験物質（３０）の変形及び／又は流動挙動を測定するためのレオメータ（１０）であって、一方（２０）に向かって開口し、その内部に被験物質（３０）を受け入れるための空洞（２８）を形成する、測定容器（１２）と、この空洞（２８）内に配置された測定体（１４）と、開口側（２０）を介して測定体（１４）に接続されたシャフト（１６）と、を含む。測定容器（１２）は、開口側（２０）の反対側の測定容器（１２）の側（２６）から測定容器（１２）の内部に延びるスリーブ要素（２２）を備え、シャフト（１６）は、スリーブ要素（２２）を完全に貫通して延びる。
2022500635.tif 000002
【特許請求の範囲】
【請求項１】
被験物質（３０）の変形及び／又は流動挙動を測定するためのレオメータ（１０）であって、
一方（２０）に向かって開口し、その内部に被験物質（３０）を受け入れるための空洞（２８）を形成する、測定容器（１２）と、
前記空洞（２８）の内部に配置された測定体（１４）と、
前記開口側（２０）を介して前記測定体（１４）に接続されたシャフト（１６）と、
を備え、
前記測定容器（１２）は、前記開口側（２０）の反対側の前記測定容器（１２）の側（２６）から前記測定容器（１２）の内部に延びるスリーブ要素（２２）を含み、
前記シャフト（１６）は、前記スリーブ要素（２２）を完全に貫通して延びる、
ことを特徴とする、レオメータ。
【請求項２】
前記シャフト（１６）に接続され、前記開口側とは反対側の前記測定容器（１２）の側部（２６）に配置された駆動及び／又はトルク測定ユニット（１８）、を特徴とする、請求項１に記載のレオメータ。
【請求項３】
前記空洞（２８）は、前記スリーブ要素（２２）の円周を完全に包囲する、ことを特徴とする、請求項１又は請求項２に記載のレオメータ。
【請求項４】
前記測定体（１４）は、前記スリーブ要素（２２）の円周を、部分的に又は完全に包囲する、ことを特徴とする、請求項１〜請求項３の何れか１項に記載のレオメータ。
【請求項５】
前記測定体（１４）は、測定パドル又は測定シリンダとして構成される、ことを特徴とする、請求項１〜請求項４の何れか１項に記載のレオメータ。
【請求項６】
前記シャフト（１６）は、前記測定体（１４）に取り外し可能に接続されている、ことを特徴とする、請求項１〜請求項５の何れか１項に記載のレオメータ。
【請求項７】
前記測定容器（１２）は、回転対称に構成されている、ことを特徴とする、請求項１〜請求項６の何れか１項に記載のレオメータ。
【発明の詳細な説明】
【技術分野】
【０００１】
本発明は、一方に向かって開口し、その内部に被験物質を受け入れるための空洞を形成する測定容器と、この空洞内に配置された測定本体と、開口側を介して測定本体に接続されたシャフトと、を用いて被験物質の変形及び／又は流動挙動を測定するためのレオメータに関する。
【背景技術】
【０００２】
このようなレオメータは、独国特許出願公開第１９９１１４４１号明細書から知られている。この文献には、測定カップと、測定カップ内に配置された測定シリンダと、一方ではカップの開口側を介して測定シリンダに接続され、他方では駆動及び／又はトルク測定ユニットに接続された駆動又は出力シャフトと、を備えるレオメータが記載されている。
【発明の概要】
【発明が解決しようとする課題】
【０００３】
本発明の目的は、コンパクトな構造で、可能な最小の公差を有する構造のレオメータを提供することである。
【課題を解決するための手段】
【０００４】
この目的は、本発明によれば、独立請求項１の特徴によって達成される。本発明の好ましい実施形態は従属請求項に提供され、従属請求項はそれぞれ個別に又は組み合わせて、本発明の態様を表すことができる。
【０００５】
請求項１の前提部に記載された特徴を有する本発明のレオメータにおいて、開口側と反対側の測定容器の側から測定容器の内部に延びるスリーブ要素を備え、シャフトは、スリーブ要素を完全に貫通して延びる、測定容器が提供される。このようにして、シャフトが測定容器を通ることから、構造がコンパクトとなる。前述のように、シャフトは、開口側を介して測定本体と接続するよう、スリーブ要素を完全に貫通するよう延在している。被験物質は、その変形及び／又は流動挙動が試験される試料として理解されるべきである。
【０００６】
本発明の好ましい実施形態によれば、シャフトに接続され、開口側とは反対側の測定容器の側面に配置された駆動及び／又はトルク測定ユニットを備えたレオメータが提供される。このユニットは、測定容器の反対側に直接配置できるため、構造が極めてコンパクトとなる。
【０００７】
本発明の更に好ましい実施形態によれば、（被験物質を受け入れるための）空洞は、スリーブ要素の円周を完全に又は少なくとも部分的に包囲する。空洞がスリーブ要素の円周を完全に包囲することを達成するために、測定容器は、クラウンケーキベーキングパンに類似した形状を有する。
【０００８】
本発明の更に別の好ましい実施形態によれば、スリーブ要素の円周を部分的に又は完全に包囲する測定本体が提供される。
【０００９】
本発明の更なる好ましい実施形態では、測定本体に取り外し可能に接続されるシャフトが提供される。取り外し可能な接続部は例えば、ねじ接続部であってもよい。
【００１０】
本発明の更に別の好ましい実施形態では、回転対称に構成された測定容器が提供される。
【００１１】
以下では、本発明が好ましい例示的な実施形態に基づいて添付の図面を参照して例として説明され、以下に示される特徴は個々に、及び組み合わせて、本発明の態様を表すことができる。
【図面の簡単な説明】
【００１２】
【図１】図面では、図１は、本発明の好ましい実施形態によるレオメータの断面図を示す。
【発明を実施するための形態】
【００１３】
図１は、測定容器１２と、測定本体１４と、シャフト１６と、駆動又はトルク測定ユニット１８と、を備える、レオメータ１０を示す。測定容器１２は、一方側２０に開口した測定容器１２であり、この測定容器は、円筒形の外形と、測定容器１２の内部に配置されたスリーブ要素２２と、を備える。スリーブ要素２２は、測定容器１２の一方側２０の反対の反対側２６における底部２４から、測定容器１２の開口部付近まで延びている。測定容器１２の内部には、検査すべき被験物質３０（試料とも呼ぶ）を受け入れるための空洞２８が形成されている。スリーブ要素２２は、一方では駆動又はトルク測定ユニット１８に、他方では測定本体１４に接続されるシャフト１６のための通路を形成する。シャフト１６は、測定容器の一方側から反対側２０、２６まで延びており、スリーブ要素２２を完全に貫通している。
【００１４】
駆動又はトルク測定ユニット１８は、オプションとしてモータ又はロードセルである。これに対応して、測定本体１４に関して、シャフト１６は、駆動ユニット１８（モータ）から測定本体１４にトルクを伝達するための駆動シャフトとして、又は測定本体１４からトルク測定ユニット１８（ロードセル）にトルクを伝達するための出力シャフトとして働く。
【００１５】
駆動又はトルク測定ユニット１８は、測定容器１２の開口部に対向する測定容器１２の側２６、即ち測定容器１２の下方に配置される。シャフト１６は、測定容器１２を通って、開口部が位置する容器１２の側２０、即ち測定容器の上部側まで延びている。そこで、シャフト１６は、測定体１４に取り外し可能に接続されている。測定体１４は、例えば、測定パドル又は測定シリンダとして形成される。
【符号の説明】
【００１６】
１０  レオメータ
１２  測定容器
１４  測定体
１６  シャフト
１８  駆動又はトルク測定ユニット
２０  一方側
２２  スリーブ要素
２４  底部
２６  反対側
２８  空洞
３０  被験物質
【図１】
2022500635.tif 000003
【国際調査報告】
2022500635.tif 000004
2022500635.tif 000005
2022500635.tif 000006
2022500635.tif 000007